(57)【要約】【課題】据え置き設置の場合にも、被投写面に対して光を円滑かつ適正に指向させ得る投写型表示装置を提供する。【解決手段】底面側を被載置面に向けて本体キャビネット３００を被載置面に載置する際に、本体キャビネット３００の底面側に生じる段差を補正するアーム部材４００を本体キャビネット３００に装着し、投写光を所望の方向に指向させる。アーム部材４００には、光の指向方向を微調整するための２つの調整ネジ５００が配されている。２つの調整ネジ５００の突出量を調整することにより、突部３０２を支点として、プロジェクタをＸ−Ｚ平面およびＹ−Ｚ平面の面内方向に回動させることができる。【選択図】図１７
2008250277.tif 000002
【特許請求の範囲】
【請求項１】
本体キャビネットと、
光変調素子によって変調された光が入射される投写レンズ部と、
前記投写レンズ部から出射される光を被投写面に向かって反射するミラー部とを備え、
前記本体キャビネットには、光の投写口を有する第１の側面に対し反対側にある第２の側面に、前記投写レンズ部と前記ミラー部の配置シフトに応じた段差が形成され、
当該第２の側面を被載置面に向けて前記本体キャビネットを前記被載置面に載置する際に、前記段差を補正して、前記ミラー部からの光を所望の方向に指向させる段差補正部をさらに有する、
ことを特徴とする投写型表示装置。
【請求項２】
請求項１において、
前記段差補正部には、前記本体キャビネットの前記第２の側面と前記被載置面の距離を変化させて前記ミラー部からの光の指向方向を微調整するための調整ジグが配されている、
ことを特徴とする投写型表示装置。
【請求項３】
請求項２において、
前記本体キャビネットの前記第２の側面には、前記ミラー部の配置位置に突部が配され、
前記調整ジグを調整して前記本体キャビネットの前記第２の側面と前記被載置面の距離を変化させることにより、前記本体キャビネットが前記突部を支点として回動する、
ことを特徴とする投写型表示装置。
【請求項４】
請求項３において、
前記調整ジグは、異なる２点において前記本体キャビネットの前記第２の側面と前記被載置面の距離を変化させ得るよう構成され、これら２点と前記突部が三角形の頂点位置に位置するよう、前記突部と前記調整ジグが配置されている、
ことを特徴とする投写型表示装置。
【請求項５】
請求項１ないし４の何れか一項において、
前記調整ジグは、先端部が前記載置面に接触するように配された調整ネジである、
ことを特徴とする投写型表示装置。
【請求項６】
請求項１ないし５の何れか一項において、
前記本体キャビネットの前記第２の側面には、前記段差補正部を取り付けるためのネジ孔が形成されており、このネジ孔は、天吊り設置の際に、取り付け機構にネジ止めされるネジ孔と共用されている、
ことを特徴とする投写型表示装置。
【発明の詳細な説明】
【技術分野】
【０００１】
本発明は、表示素子によって変調された光を被投写面上に拡大投写する投写型表示装置に関し、特に、表示素子上の画像を投写レンズ部と反射ミラーの間に中間像として結像させ、この中間像を反射面によって拡大投写する投写型表示装置に用いて好適なものである。
【背景技術】
【０００２】
表示素子（液晶パネル等）上の画像を被投写面（スクリーン等）上に拡大投写する投写型表示装置（以下、「プロジェクタ」という）が商品化され広く普及している。この種のプロジェクタでは、スクリーンとプロジェクタ本体の距離を短くするために、投写光学系の広角化とともに、投写光の進行方向を投写光学系の光軸に対して傾斜させる、斜め投写の構成をとるプロジェクタが提案されている。
【０００３】
例えば、以下の特許文献１に記載の発明では、投写光学系として大画角の広角レンズが用いられ、表示素子とスクリーンを投写光学系の光軸に対して互いに相反する方向にシフトさせることにより、投写距離が短縮されると共に、歪曲のない斜め投写が実現されている。しかし、この先行発明では、大画角の広角レンズが必要なため、レンズの大型化に伴うコストの上昇とプロジェクタ本体の大型化が問題となる。
【０００４】
これに対し、以下の特許文献２に記載の発明では、投写光学系として投写レンズ部とミラーが用いられ、表示素子上の画像を投写レンズ部とミラーの間に中間像として結像させ、この中間像をミラーによって拡大投写することにより、投写距離の短縮が実現されている。
【０００５】
この種のプロジェクタでは、図１８に示すように種々の使用形態が想定される。なお、上記特許文献２に記載の発明では、図１９に示すように、光源、投写レンズ部およびミラーが同一方向に並んでいるため、天吊設置と据え置き設置の場合には光源が水平方向を向くが、机上設置の場合には光源が鉛直方向を向くこととなり、光源（バーナ）の寿命に問題が生じる。
【特許文献１】特開平０５−１００３１２号公報
【特許文献２】特開２００４−２５８６２０号公報
【発明の開示】
【発明が解決しようとする課題】
【０００６】
ところで、図１９の構成では、パネルによって変調された光を投写レンズ部（屈折光学系）の光軸に対しスクリーンから離れる方向にシフトさせ、この方向と反対方向にミラー（反射面）をシフトさせているが、これとは逆に、パネルを投写レンズ部（屈折光学系）の光軸に対しスクリーンに接近する方向にシフトさせ、この方向と反対方向にミラー（反射面）をシフトさせるようにすれば、投写光の広角化をさらに進めることができる。
【０００７】
しかし、こうすると、投写レンズ部に対するミラーのシフトに基づいて、本体キャビネットの側面に段差が生じることとなり、このため、この側面側からプロジェクタを被載置面に載置すると（図１８（ｂ）の据え置き設置）、プロジェクタが水平方向から傾いてしまい、スクリーン面に光を円滑に投写できなくなるとの問題が生じる。
【０００８】
なお、この問題は、上記側面を段差のない一様な平面とすることにより解消され得るが、こうすると、本体キャビネット内に無駄なデッドスペースが生じ、また、プロジェクタ本体が大型化するとの問題が生じる。
【０００９】
本発明は、このような課題を解消するためになされたものであり、据え置き設置の場合にも、被投写面に対して光を円滑かつ適正に指向させ得る投写型表示装置を提供することを課題とする。
【課題を解決するための手段】
【００１０】
上記課題に鑑み本発明は、以下の特徴を有する。
【００１１】
請求項１の発明に係る投写型表示装置は、本体キャビネットと、光変調素子によって変調された光が入射される投写レンズ部と、前記投写レンズ部から出射される光を被投写面に向かって反射するミラー部とを備え、前記本体キャビネットには、光の投写口を有する第１の側面に対し反対側にある第２の側面に、前記投写レンズ部と前記ミラー部の配置シフトに応じた段差が形成され、当該第２の側面を被載置面に向けて前記本体キャビネットを前記被載置面に載置する際に、前記段差を補正して、前記ミラー部からの光を所望の方向に指向させる段差補正部をさらに有することを特徴とする。
【００１２】
請求項２の発明は、請求項１に記載の投写型表示装置において、段差補正部に、本体キャビネットの前記第２の側面と被載置面の距離を変化させてミラー部からの光の指向方向を微調整するための調整ジグが配されていることを特徴とする。
【００１３】
請求項３の発明は、請求項に記載の投写型表示装置２において、本体キャビネットの前記第２の側面には、ミラー部の配置位置に突部が配され、調整ジグを調整して本体キャビネットの前記第２の側面と被載置面の距離を変化させることにより、本体キャビネットがこの突部を支点として回動することを特徴とする。
【００１４】
請求項４の発明は、請求項３に記載の投写型表示装置において、前記調整ジグは、異なる２点において本体キャビネットの前記第２の側面と被載置面の距離を変化させ得るよう構成され、これら２点と突部が三角形の頂点位置に位置するよう、突部と調整ジグが配置されていることを特徴とする。
【００１５】
請求項５の発明は、請求項１ないし４の何れか一項に記載の投写型表示装置において、前記調整ジグは、先端部が載置面に接触するように配された調整ネジであることを特徴とする。
【００１６】
請求項６の発明は、請求項１ないし５の何れか一項に記載の投写型表示装置において、本体キャビネットの前記第２の側面には、段差補正部を取り付けるためのネジ孔が形成されており、このネジ孔は、天吊り設置の際に、取り付け機構にネジ止めされるネジ孔と共用されていることを特徴とする。
【発明の効果】
【００１７】
本発明によれば、第２の側面を被載置面に向けて本体キャビネットを被載置面に載置する際に、当該第２の側面側に生じる段差が段差補正部によって補正されるため、据え置き設置の際にもミラー部からの光を被投写面に向かう方向に適正に指向させることができる。
【００１８】
また、請求項２ないし５の発明のように、調整ジグと突部を配置すれば、光の投写方向を微調整することができ、画像を適正に投写することができる。ここで、請求項５の発明のように、調整ジグとして調整ネジを用いると、適宜調整ネジを操作することにより、投写光の指向方向の調整を容易かつ簡便に行うことができる。また、請求項４の発明のように、調整ジグの作用点と突部を三角形の頂点位置に位置づければ、投写光の指向方向を２次元方向において微調整でき、よって、投写光の指向方向の調整を円滑かつ適正に行うことができる。
【００１９】
さらに、請求項６の発明のように、段差補正部を取り付けるためのネジ孔を天吊り設置の際のネジ孔に共用すれば、前記第２の側面の面内スペースを有効利用することができる。また、天吊り設置の際には、段差補正部は不要であるため、段差補正部を取り外すことにより、これらネジ孔を天吊り設置用のネジ孔として用いることができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２１】
以下、図面を参照して、実施の形態に係るプロジェクタの構成を説明する。
【００２２】
図１ないし図７は、外部キャビネットを省略した状態のプロジェクタの内部構成を示す図である。図１は、内部構成の外観斜視図、図２、図３、図４、図５、図６および図７は、それぞれ、内部構成の上面図、底面図、右側面図、左側面図、正面図および背面図である。なお、図２ないし図７には、メイン基板４０が取り外された状態の構成が示されている。また、図８および図９には、それぞれ、投写光学系の概観斜視図および断面図（模式図）が示されている。
【００２３】
図１ないし図７を参照して、プロジェクタは、光学エンジン１０と、投写光学系２０と、電源ユニット３０と、メイン基板４０と、ＡＶ端子部５０と、吸気ファン６０と、排気ファン７０と、ＡＣインレット９０を備えている。なお、８０ａは上面側キャビネットからのボス、８０ｂは底面側キャビネットからのボス、８０ｃは振動吸収用のブッシュである。投写光学系２０は、図８に示す板状部２０５が、図１、図２、図３に示すように、２つのブッシュ８０ｃを介してボス８０ａ、８０ｃ間に挟持されることによりキャビネット内に装着される。投写光学系２０は、振動吸収用のブッシュ８０ｃを介して挟持されているため、投写光学系２０に衝撃が伝わり難くなっている。また、投写光学系２０は、振動吸収用のブッシュ８０ｃを介して上面側キャビネット８０ａおよび底面側キャビネット８０ｂにより支持されているため、支持強度が向上している。
【００２４】
光学エンジン１０は、光源１０１からの白色光を青色波長帯、緑色波長帯および赤色波長帯の光に分離するとともに各波長帯の光を表示素子（液晶パネル）で変調し、さらに、変調後の各波長帯の光をダイクロイックプリズムで色合成し、合成後の光を投写光学系２０に出射する。図２に示すように、光源１０１は、Ｘ軸方向に光を照射するよう配置され、投写光学系２０は光軸がＹ軸方向となるよう配置されている。なお、光学エンジン１０の構成および光学エンジン１０と投写光学系２０の位置関係については、追って、図１０を参照して説明する。
【００２５】
電源ユニット３０は、光源１０およびメイン回路４０に電源を供給する。電源ユニット３０には、ＡＣインレット９０を介してＡＣ電圧が入力される。メイン回路４０は、プロジェクタを駆動および制御するための回路である。図１に示す如く、メイン回路４０を保持する回路基板は、光学エンジン１０の上面に、光学エンジン１０の一部を覆うようにして配置されている。また、メイン回路４０には、ＡＶ端子部５０を介してＡＶ（Audio Visual）信号が入力される。
【００２６】
図１および図３に示す如く、光学エンジン１０の底面側には３つの吸気ファン６０が配されている。これら吸気ファン６０によって吸気されたエアーは、光学エンジン１０の左側面側に配された排気ファン７０（図５参照）および背面側に配された排気ファン７０（図７参照）によって排気される。このように吸気ファン６０と排気ファン７０を配置することにより、吸気ファン６０によって吸気されたエアーは、光学エンジン１０の光学系、光源１０１および電源ユニット３０を通過するよう流れる。また、吸気されたエアーは、図２、図３および図６に示す如く、ダクト６１を介して光源１０１の側面に導かれ、光源１０１の側面から排気ファン７０に向かって流れる。かかるエアーの流れによって、これら部材に発生する熱が取り除かれる。
【００２７】
図８および図９に、投写光学系の概観斜視図および断面図を示す。なお、図９は、図８のＡ−Ａ’断面を模式的に示す図である。
【００２８】
同図において、２０１は投写レンズユニット、２０２はハウジング、２０３は埃防止カバー、２０４は反射ミラー、２０５はミラーカバー、２０６は光線通過窓である。
【００２９】
投写レンズユニット２０１は、投写光を中間結像面上に結像させるためのレンズ群と、これらレンズ群の一部を光軸方向に変位させて投写画像のフォーカス状態を調整するためのアクチュエータを備えている。ここで、投写レンズユニット２０１のフォーカス調整は、レバー２０１ａを投写レンズユニット２０１の光軸を軸として回転させることにより行われる。なお、このレバー２０１ａは、光線通過窓２０６から投写される投写光を遮らないよう、図８に示す如く、投写レンズユニット２０１の側方から突出するよう配置されている。
【００３０】
反射ミラー２０４は、非球面形状の反射面を有し、投写レンズユニット２０１から入射された投写光を広角化して、光線通過窓２０６から被投写面（スクリーン面）へ投写する。
【００３１】
投写レンズユニット２０１は、ハウジング２０２内に収容され、さらに、埃防止カバー２０３によって覆われる。また、反射ミラー２０４は、ミラーカバー２０５に収容され、ミラーカバー２０５をハウジング２０２に取り付けることにより、ハウジング２０２に装着される。
【００３２】
図９に示す如く、光学エンジン１０によって生成された合成光は、投写レンズユニット２０１の光軸からＺ軸方向に離間する位置において、投写レンズユニット２０１に入射される。このようにして入射された合成光は、投写レンズユニット２０１によってレンズ作用を受け、ミラー２０４に入射される。しかる後、合成光は、ミラー２０４によって広角化され、光線通過窓２０６を介して、被投写面（スクリーン面）へ投写される。
【００３３】
なお、上記の如く、光学エンジン１０からの合成光は、投写レンズユニット２０１の光軸よりもＺ軸方向にずれた位置において、投写レンズユニット２０１に入射されるため、反射ミラー２０４は、図９に示す如く、投写レンズユニット２０１の光軸から合成光のシフト方向と反対側にシフトするようにして配置される。ここで、反射ミラー２０４は、投写レンズユニット２０１を構成する各レンズのレンズ面よりも大きな反射面を有するため、投写レンズユニット２０１の光軸に対する反射ミラー２０４のシフト量は比較的大きなものとなる。このため、プロジェクタの底面側には、図４および図５に示す如く、比較的大きな空間Ｇが生じる。
【００３４】
次に、図１０を参照して、光学エンジン１０の主要構成について説明する。
【００３５】
光源１０１は、バーナとリフレクタから構成され、略平行な光を照明光学系１０２に出射する。光源１０１は、たとえば、超高圧水銀ランプから構成される。照明光学系１０２は、フライアイインテグレータ、ＰＢＳ（偏光ビームスプリッタ）アレイおよびコンデンサレンズを備え、表示素子（液晶パネル）１０６、１０９、１１５に入射する際の各色光の光量分布を均一化させるとともに、ダイクロイックミラー１０３に向かう光の偏光方向を一方向に揃える。
【００３６】
ダイクロイックミラー１０３は、照明光学系１０２から入射された光のうち、青色波長帯の光（以下、「Ｂ光」という）のみを反射し、赤色波長帯（以下、「Ｒ光」という）と緑色波長帯（以下、「Ｇ光」という）を透過する。ミラー１０４は、ダイクロイックミラー１０３によって反射されたＢ光をコンデンサレンズ１０５に向かう方向に反射する。
【００３７】
コンデンサレンズ１０５は、Ｂ光が平行光で表示素子１０６に入射するよう、Ｂ光にレンズ作用を付与する。表示素子１０６は、青色用の映像信号に応じて駆動され、その駆動状態に応じてＢ光を変調する。なお、表示素子１０６の入射側と出射側には偏光板（図示せず）が配されている。
【００３８】
ダイクロイックミラー１０７は、ダイクロイックミラー１０３を透過したＲ光およびＧ光のうち、Ｇ光のみを反射する。コンデンサレンズ１０８は、Ｇ光が平行光で表示素子１０９に入射するよう、Ｇ光にレンズ作用を付与する。表示素子１０９は、緑色用の映像信号に応じて駆動され、その駆動状態に応じてＧ光を変調する。なお、表示素子１０９の入射側と出射側には偏光板（図示せず）が配されている。
【００３９】
リレーレンズ１１０、１１２は、表示素子１１５に対するＲ光の入射状態が表示素子１０６および１０９に対するＢ光およびＧ光の入射状態と等しくなるようＲ光にレンズ作用を付与する。ミラー１１１、１１３は、ダイクロイックミラー１０７を透過したＲ光を表示素子１１５に導くよう、Ｒ光の光路を変更する。
【００４０】
コンデンサレンズ１１４は、Ｒ光が平行光の状態で表示素子１１５に入射するよう、Ｒ光にレンズ作用を付与する。表示素子１１５は、赤色用の映像信号に応じて駆動され、その駆動状態に応じてＲ光を変調する。なお、表示素子１１５の入射側と出射側には偏光板（図示せず）が配されている。
【００４１】
ダイクロイックプリズム１１６は、表示素子１０６、１０９、１１５によって変調されたＢ光、Ｇ光およびＲ光のうち、Ｂ光とＲ光を反射するとともにＧ光を透過し、これにより、Ｂ光、Ｇ光およびＲ光を色合成する。色合成された光（合成光）は、上記の如く、投写光学系２０内の投写レンズユニット２０１に入射される。そして、反射ミラー２０４によって広角化され、光線通過窓２０６を介して、被投写面（スクリーン面）へ投写される。
【００４２】
図示の如く、光源１０１は、光の照射方向がＸ軸方向に向くように配置される。このように光源１０１を配置することにより、光源１０１は、プロジェクタが天吊設置、据え置き設置および机上設置の何れの形態で使用されても、常に、水平方向に光を照射するに位置づけられることとなる。
【００４３】
図１１は、図１に示すプロジェクタの内部構造をキャビネット内に収容した状態のプロジェクタの概観を示す図（斜視図）である。なお、図１２、１３および１４は、それぞれ、プロジェクタの右側面図、背面図および底面図である。
【００４４】
図示の如く、本体キャビネット３００には、上記空間Ｇ（図４および図５参照）に対応して生じる段差を補正するために、アーム部材４００が、本体キャビネットの底面に装着されている。また、このアーム部材４００には、先端部がアーム部材４００を貫通するようにして、２つの調整ネジ５００が装着されている。
【００４５】
本体キャビネット３００の上面には操作ボタン部３０１が配されている。また、本体キャビネット３００の底面には、反射ミラー２０４の配置位置に、円弧状の突部３０２が配されている。
【００４６】
図１５は、アーム部材４００に対する調整ネジ５００の装着状態を示す図である。アーム部材４００は、同図右上に示すような形状の板金に樹脂をモールドして形成されている。アーム部材４００には、アーム部材４００を本体キャビネット３００の底面にネジ止めするための４つの孔４０１が形成されている。また、調整ネジ５００の装着位置は、図中の拡大断面図にて示す構造となっている。
【００４７】
拡大断面図において、４０３は芯板金であり、４０２、４０４は、それぞれ、芯板金３０３の底面側および上面側にモールドされた樹脂である。底面側の樹脂４０２にはネジ孔が一体成形されており、このネジ孔に、調整ネジ５００のネジ部材５０１が螺合している。
【００４８】
調整ネジ５００は、ネジ部材５０１に調整ダイアル５０２が固定用ネジ５０３によって固着されることにより構成されている。また、ネジ部材５０１の先端には、クッション５０４が装着されている。調整ネジ５００の概観は、図中の左端（側面図）に示すようになっている。
【００４９】
アーム部材４００は、図１４に示すように、本体キャビネット３００の底面に形成されたネジ孔３０３ａ〜３０３ｉのうち４つのネジ孔３０３ａ〜３０３ｄに、図１５に示す孔４０１を整合させ、この状態で、ネジをネジ孔３０３ａ〜３０３ｄに螺着することにより取り付けられる。ここで、ネジ孔３０３ａ〜３０３ｉは、全て、同図右下に示すようにボス孔３０４に金属製のナット３０５を嵌め込んだインサートナットにより構成されている。
【００５０】
なお、プロジェクタを図１８（ａ）に示す天吊設置にて使用する場合には、ネジ孔３０３ａ〜３０３ｉの全てを用いて、本体キャビネット３００が、天吊設置用の取り付け機構にネジ止めされる。この場合、アーム部４００は、本体キャビネット３００から取り外される。
【００５１】
図１６は、プロジェクタを底面側から被載置面に載置したときの状態（据え置き設置）を示す図である。この状態では、本体キャビネット３００の底面に配された円弧状の突部３０２と、アーム部材４００に装着された２つの調整ネジ５００の先端が、被載置面に当接している。なお、この状態は、アーム部材４００の底面に対する調整ネジ５００の突出量を最も小さくした状態である。この状態において、本体キャビネット３００の上面は、水平に対し、同図の反時計方向に所定角度だけ回動した状態にある。
【００５２】
同図の状態から調整ネジ５００を回転させ、調整ネジ５００をアーム部材４００の底面からさらに突出させると、プロジェクタは、突部３０２を支点として、時計方向に回動する。この回動に伴い、投写光の指向方向が、同図の状態から時計方向に回動する。図１７は、アーム部材４００の底面に対する調整ネジ５００の突出量を最も大きくしたときの状態を示している。
【００５３】
また、２つの調整ネジ５００の突出量を相違させることにより、プロジェクタをＸ−Ｚ平面の面内方向に回動させることができ、これに伴って、投写光の指向方向を、同じくＸ−Ｚ平面の面内方向に回動させることができる。したがって、２つの調整ネジ５００の突出量を適宜調整することにより、プロジェクタの回動位置を、Ｙ−Ｚ平面の面内方向とＸ−Ｚ平面の面内方向の両方において微調整することができ、これにより、投写光の指向方向を、Ｙ−Ｚ平面の面内方向とＸ−Ｚ平面の面内方向の両方において、適正位置に微調整することができる。
【００５４】
以上、本実施の形態によれば、底面側を被載置面に向けて本体キャビネット３００を被載置面に載置したときに、本体キャビネット３００の底面側に生じる段差がアーム部材４００によって補正されるため、据え置き設置の際にも投写光を被投写面に向かう方向に適正に指向させることができる。
【００５５】
また、本実施の形態によれば、適宜、調整ネジ５００を調整することにより、光の投写方向を微調整することができ、画像を適正に投写することができる。ここで、光の投写方向の調整は、調整ネジ５００を回転させることにより行えるため、この調整を容易かつ簡便な操作にて行うことができる。さらに、本実施の形態によれば、２つの調整ネジ５００の作用点と突部３０２が三角形の頂点位置に配置されているため、上記の如く、投写光の指向方向を２次元方向において微調整することができる。
【００５６】
なお、本実施の形態では、アーム部材４００を取り付けるためのネジ孔３０３ａ〜３０３ｄが天吊り設置の際のネジ孔に共用されているため、本体キャビネット３００底面のスペースを有効利用することができる。また、天吊り設置の際には、アーム部材４００は不要であるため、アーム部材４００を取り外すことにより、これらネジ孔３０３ａ〜３０３ｄを天吊り設置用のネジ孔として用いることができる。
【００５７】
なお、本実施の形態では、アーム部材４００が板金によって形成されているため、プロジェクタの持ち運び時等に、万一、アーム部材４００を持ったとしても、アーム部材が破損することはない。また、アーム部材４００の装着は、上記の如く、機械的強度の強いインサートナットにネジ止めすることにより行われているため、万一、アーム部材４００を持ってプロジェクタを持ち上げたとしても、アーム部材４００がプロジェクタから取れ落ちることはない。このように、本実施の形態では、アーム部材４００とその装着手段の機械的強度が高められているため、アーム部材４００を直接把持することによる破損ないし事故等を未然に抑制することができる。
【００５８】
以上、本発明の実施の形態について説明したが、本発明は、上記実施の形態によって制限されるものではない。また、本発明の実施形態は上記の他、種々の変更が可能である。
【００５９】
たとえば、上記実施の形態では、Ｂ光、Ｇ光、Ｒ光を表示素子によって変調させ、変調後の光をダイクロイックプリズムによって合成するようにしたが、これらの波長帯以外の光をさらに対応する表示素子にて変調させ、変調後の光をＢ光、Ｇ光、Ｒ光とともに合成して投写光学系２０に入射させるようにしても良い。たとえば、光源１０１にて発光される光にＢ光、Ｇ光、Ｒ光の他に黄色波長帯（以下、「Ｙｅ光」という）のスペクトル成分がある場合には、Ｙｅ光を対応する表示素子へと導き、当該表示素子にて変調されたＹｅ光を、Ｂ光、Ｇ光、Ｒ光とともにダイクロイックプリズムで合成するようにしても良い。
【００６０】
また、上記実施の形態では、各色光を変調する素子として透過型の表示素子を用いたが、反射型の表示素子を用いたプロジェクタに本発明を適用することも可能である。また、各色光をダイクロイックプリズム１１６のどの面から入射させるかについても上記の方法の他、適宜変更可能である。
【００６１】
この他、図１の構成例では、光を均一化させる手段としてフライアイインテグレータを用いたが、これに代えて、ロッドインテグレータを用いることもできる。
【００６２】
また、上記実施の形態では、液晶パネルを用いたプロジェクタを示したが、他の映像光生成系を備えた投写型表示装置、たとえば、ＤＬＰ（Digital Light Processing）（テキサス・インスツルメンツ（TI）社の登録商標）方式のプロジェクタにおいても本発明を適用することができる。
【００６３】
本発明の実施形態は、特許請求の範囲に記載の技術思想の範囲内において適宜変更可能である。
【図面の簡単な説明】
【００６４】
【図１】実施の形態に係るプロジェクタの内部構成を示す図（斜視図）
【図２】実施の形態に係るプロジェクタの内部構成を示す図（上面図）
【図３】実施の形態に係るプロジェクタの内部構成を示す図（底面図）
【図４】実施の形態に係るプロジェクタの内部構成を示す図（右側面図）
【図５】実施の形態に係るプロジェクタの内部構成を示す図（左側面図）
【図６】実施の形態に係るプロジェクタの内部構成を示す図（正面図）
【図７】実施の形態に係るプロジェクタの内部構成を示す図（背面図）
【図８】実施の形態に係る投写光学系の構成を示す図（斜視図）
【図９】実施の形態に係る投写光学系の構成を示す図（断面図）
【図１０】実施の形態に係る光学エンジンの構成を示す図
【図１１】実施の形態に係るプロジェクタの外観構成を示す図（斜視図）
【図１２】実施の形態に係るプロジェクタの外観構成を示す図（右側面図）
【図１３】実施の形態に係るプロジェクタの外観構成を示す図（正面図）
【図１４】実施の形態に係るプロジェクタの外観構成を示す図（底面図）
【図１５】実施の形態に係るアーム部材と調整ネジの構成を示す図
【図１６】実施の形態に係るプロジェクタの使用状態（据え置き設置）を示す図
【図１７】実施の形態に係るプロジェクタの使用状態（据え置き設置）を示す図
【図１８】プロジェクタの使用形態を示す図
【図１９】先行技術を説明する図
【符号の説明】
【００６５】
２０１  …  投写レンズユニット
２０４  …  反射ミラー
３００  …  本体キャビネット
３０２  …  突部
４００  …  アーム部材
５００  …  調整ネジ
【図１】
2008250277.tif 000003
【図２】
2008250277.tif 000004
【図３】
2008250277.tif 000005
【図４】
2008250277.tif 000006
【図５】
2008250277.tif 000007
【図６】
2008250277.tif 000008
【図７】
2008250277.tif 000009
【図８】
2008250277.tif 000010
【図９】
2008250277.tif 000011
【図１０】
2008250277.tif 000012
【図１１】
2008250277.tif 000013
【図１２】
2008250277.tif 000014
【図１３】
2008250277.tif 000015
【図１４】
2008250277.tif 000016
【図１５】
2008250277.tif 000017
【図１６】
2008250277.tif 000018
【図１７】
2008250277.tif 000019
【図１８】
2008250277.tif 000020
【図１９】
2008250277.tif 000021